(57)【要約】【課題】電源等の動力源を用いることなく袋体に充填物を導出することができ、人手を介することなく充填物導入装置から袋体を離間することのできる填物導入装置を提供する。【解決手段】袋体の導入口に挿入して粒状物や粉状物などの固体、ゲル状物あるいは液状物を袋体に導入するための充填物導入装置であって、円筒体と、この円筒体の上端部から延設され上方に向って拡径し投入された粒状体を円筒体に案内する案内部と、円筒体又は案内部の外周に設けられる掛着部とを有し、掛着部は、棒状の天秤と、この天秤の一の端部に設けられるフックと、天秤の回動を可能にする枢軸部と、枢軸部を支持する支持部と、天秤の他の端部と支持部を接続して天秤を牽引する弾性体とを具備し、フックは、袋体の重力によって天秤が枢軸部を基点に回動して、孔又はループの掛着を解除することによる。【選択図】  図１
2006315722.tif 000002
【特許請求の範囲】
【請求項１】
袋体の導入口に挿入して粒状物や粉状物などの固体、ゲル状物あるいは液状物を前記袋体に導入するための充填物導入装置であって、
円筒体と、この円筒体の上端部から延設され上方に向って拡径し投入された粒状体を前記円筒体に案内する案内部と、前記円筒体又は前記案内部の外周に設けられる掛着部とを有し、
前記掛着部は、棒状の天秤と、この天秤の一の端部に設けられ鉤状に湾曲して前記袋体の孔又はループを掛着して前記袋体を開口保持するフックと、前記天秤の回動を可能にする枢軸部と、前記円筒体又は案内部の外周に突設され前記枢軸部を支持する支持部と、前記天秤の他の端部と前記円筒体の外周又は前記案内部の外周又は前記支持部を接続して前記天秤を牽引する弾性体とを具備し、
前記フックは、前記袋体の重力によって前記天秤が枢軸部を基軸に回動することで、前記孔又はループの掛着を解除することを特徴とする充填物導入装置。
【請求項２】
前記掛着部は、前記天秤の枢軸部を基軸とした回動を妨げる止め具を具備することを特徴とする請求項１に記載の充填物導入装置。
【請求項３】
前記掛着部の下方の前記円筒体又は案内部の外周に突設され、前記袋体の孔又はループを仮掛する補助掛着部を有することを特徴とする請求項１又は請求項２に記載の充填物導入装置。
【請求項４】
前記弾性体の弾性力は、前記袋体にかかる重力よりも大きく、前記袋体及びその内部に導入される充填物にかかる重力の和よりも小さいことを特徴とする請求項１乃至請求項３に記載の充填物導入装置。
【発明の詳細な説明】
【技術分野】
【０００１】
本発明は、主として、土嚢袋のような大きな詰込袋や容器に、粒状物や粉状物などの固体、ゲル状物あるいは液状物を詰め込む際に使用する充填物導入装置に関するものである。
【背景技術】
【０００２】
従来、袋体に粒状物や粉状物などの固体、ゲル状物あるいは液状物等の充填物を詰め込むには、袋体を開口保持した状態で、この開口から充填物をこぼさないように袋体に導入しなければならず、袋体の数が多い場合は、この導入作業は煩雑であった。
そこで、このような課題に対処するため、袋体への充填物の導入を容易にするための装置がいくつか開示されている。
【０００３】
以下、図１１を参照しながら、特許文献１に開示された技術について説明する。図１１は従来技術に係る粒状物詰込装置の外形図である。
特許文献１に係る「粒状物詰込装置」は、構造が簡単で強度が高く、詰込み時に土等をこぼすことがなく、さらに詰込み完了後に装置から容易に土嚢等を取出すことができるよう構成されるものである。
図１１に示すように、粒状物詰込装置１００は、鉄製で円筒状の筒体１０１の外周面上端部から、三本の鉄製の支柱１０８が等間隔で垂下設され、筒体１０１の下端と地面との間および筒体１０１と支柱１０８との間のそれぞれに、図示しない詰込袋を筒体１０１の下方から該筒体１０１の外周面を覆う状態で装着するに十分な空隙Ｈ（２００〜３００ｍｍ程度）を形成している。また、筒体１０１の略下半部には、格子状の格子部１０３が設けられ、その上端部には上方に向って拡径するテーパー状のガイド部１０２が設けられている。なお、支柱１０８の上端はガイド部１０２に固定されており、ガイド部１０２の外周面に図示しない詰込袋の上端部を掛止するロック１０４が径方向に移動自在に設けられている。このロック１０４は、ガイド部１０２に等間隔で四箇所に設けられる補強板１０５のうち対向位置する二つに調整長孔１０６が穿設され、その調整長孔１０６にロック１０４の上端部をボルト締めして取付けられるよう構成され、また、ガイド部１０２の下端部分には吊りフック１０７が設けられており、この吊りフック１０７に図示しないワイヤーを引っ掛けて当該粒状物詰込装置１００を建設機械で吊り下げて移動することができる。
上記構成の粒状物詰込装置１００を用いて詰込袋に粒状体を詰め込むには、まず、開口した詰込袋を空間Ｈに配置し、この詰込袋でガイド部１０２及び格子部１０３を被覆するように詰込袋の上端部を引き上げ、詰込袋の上端部をロック１０４に掛止して詰込袋を装着する、この状態でガイド部１０２の開口から重機等のバケットで粒状体を投入すると、粒状体は筒体１０１に延設される格子部１０３から詰込袋の内部へと導出され、詰込袋は粒状体で満たされる。この状態で、吊りフック１０７にワイヤーを掛着し粒状物詰込装置１００を建設機械で上方に静かに引き上げると、筒体１０１に一旦保持された粒状体も詰込袋内に導出され、土嚢の製造と設置を同時に完了することができる。なお、補強板１０５には調製長孔１０６が設けられ、ロック１０４は調製長孔１０６内をスライドすることでガイド部１０２の径方向に自在に移動することができるため、詰込袋の開口径が異なる場合でも粒状物詰込装置１００に詰込袋を装着することができる。
このように、粒状物詰込装置１００を用いることによれば、あらかじめ粒状物詰込装置１００を所望の土嚢設置場所に設置し、そこで詰込袋を装着して土を導入し、クレーンや重機で粒状物詰込装置１００のみを吊上げて移動させることで、詰込袋への土の導入と、土嚢の設置を同時に完了することができる。従って、１トン前後におよぶ土嚢自体を、土の導入作業後に移動させる必要がない。このため、土嚢の移動時に重機がバランスを崩して転倒する危険性が少なく、大重量の土嚢の製造と設置が容易になる。
【０００４】
また、特許文献２には、「土嚢用袋詰め装置」という名称で、袋体への土砂の供給を自動化した土嚢の袋詰め装置に係る発明が開示されている。
特許文献２にかかる「土嚢用袋詰め装置」は、上部開口部を投入口とする漏斗状形状の土砂槽が枠組み体によって所定高さ位置に支持され、その底部開口部には、略水平に配置されるスクリューコンベアが連設され、このスクリューコンベアの土砂導出端側には、土砂を導出するための短筒状の土砂導出口が下向きに設けられており、さらに、この土砂導出口の周囲には巾着紐付き袋体用掛止部が設けられている。なお、従来技術にかかる「土嚢用袋詰め装置」のスクリューコンベアは、スクリューコンベアの下部に設けられる駆動原、例えば、電動式モータ等により駆動され、スイッチのオン操作により土砂導出口から一定量の土砂が自動排出されるよう構成されている。
このような、「土嚢用袋詰め装置」を用いて土嚢袋に土砂を袋詰めするには、まず、巾着紐付き袋体を土砂導出口を被覆するように装着し、駆動源の電源をオンにして所望の量の土砂を自動排出させた後、土砂導出口から土砂を収容した巾着紐付き袋体を取外して袋詰め作業が完了する。
上記構成の「土嚢用袋詰め装置」を用いることによれば、従来、主に手作業で行っていた土嚢の詰込作業を半自動化することができ、人件費や作業時間を節約することができ、さらに作業効率も高まる。また、「土嚢用袋詰め装置」を大型化すれば、大重量の土嚢の袋詰め作業も半自動化することができる。
【０００５】
【特許文献１】特開２００１−３４８０１１号公報
【特許文献２】特表２００１−２５３４０２号公報
【発明の開示】
【発明が解決しようとする課題】
【０００６】
しかしながら、上述の特許文献１に開示されるような従来の「粒状物詰込装置」は、ロック１０４に掛止される詰込袋の端部を自動的に開放する機構を備えていないので、粒状物詰込装置１００を建設機械で吊り下げて移動する際に必ず、作業者がロック１０４に掛止される詰込袋の端部を外す必要があり、土嚢の設置面が平滑でない場合、粒状物詰込装置１００が転倒して作業者が怪我をする恐れがあるという課題があった。
また、詰込袋の端部は単にロック１０４に掛止されているだけなので、粒状体の詰込作業中に詰込袋に導入される粒状体の荷重で、詰込袋がロック１０４から外れてしまう可能性もあった。
【０００７】
また、特許文献２に開示されるような従来の「土嚢用袋詰め装置」は、土砂の袋詰め作業を半自動化できるものの、作業時には駆動原を作動させるために電源もしくはその他の動力源が必要となり、電源設備等の整備が不十分な作業現場での袋詰め作業には適さないという課題があった。
また、土砂を保持し導出する土砂槽が装置の上部に設置されているため、多量の土砂を投入した場合に、装置全体の重心が高くなり装置が転倒する恐れもあった。
【０００８】
本発明はかかる従来の事情に対処してなされたものであり、その目的は、電源等の動力源を用いることなく袋体に充填物を導入することができ、人手を介することなく袋体と充填物導入装置を離間させることのできる填物導入装置を提供することにある。
【課題を解決するための手段】
【０００９】
本発明の請求項１に記載の発明である充填物導入装置は、袋体の導入口に挿入して粒状物や粉状物などの固体、ゲル状物あるいは液状物を袋体に導入するための充填物導入装置であって、円筒体と、この円筒体の上端部から延設され上方に向って拡径し投入された粒状体を円筒体に案内する案内部と、円筒体又は案内部の外周に設けられる掛着部とを有し、掛着部は、棒状の天秤と、この天秤の一の端部に設けられ鉤状に湾曲して袋体の孔又はループを掛着して袋体を開口保持するフックと、天秤の回動を可能にする枢軸部と、円筒体又は案内部の外周に突設され枢軸部を支持する支持部と、天秤の他の端部と円筒体の外周又は案内部の外周又は支持部を接続して天秤を牽引する弾性体とを具備し、前記フックは、袋体の重力によって天秤が枢軸部を基軸に回動することで、孔又はループの掛着を解除することを特徴とするものである。
上記構成の充填物導入装置において案内部は、案内部の上部開口から投入される充填物を円筒体に誘導するという作用を有する。また、円筒体は案内部から誘導された充填物を一時収容し、充填物導入装置を袋体から離間する際に、一時収容した充填物を袋体に導出するという作用を有する。さらに、天秤の一の端部に設けられるフックは袋体の孔又はループを掛着させるという作用を有し、天秤の枢軸部は、天秤の回動を可能にするという作用を有する。また、天秤を牽引する弾性体は、天秤が回動するのを妨げるという作用を有する。そして、支持部は天秤の枢軸部を支持し、天秤の一端部を牽引する弾性体を掛着させるという作用を有する。
【００１０】
さらに、請求項２に記載の発明である充填物導入装置は、請求項１に記載される充填物導入装置であって、掛着部は、天秤の枢軸部を基軸とした回動を妨げる止め具を具備することを特徴とするものである。
上記構成の填物導入装置においては、請求項１の発明の作用に加えて、掛着部に設けられる止め具が、天秤の回動を妨げるという作用を有する。
【００１１】
また、請求項３に記載の発明である充填物導入装置は、請求項１又は請求項２に記載される充填物導入装置であって、掛着部の下方の円筒体又は案内部の外周に突設され、袋体の孔又はループを仮掛する補助掛着部を有することを特徴とするものである。
上記構成の填物導入装置においては、袋体の装着時に孔又はループを補助掛着部に仮掛を可能にするという作用を有する。
【００１２】
最後に、請求項４に記載の発明である充填物導入装置は、請求項１乃至請求項３に記載される充填物導入装置であって、弾性体の弾性力は、袋体にかかる重力よりも大きく、袋体及びその内部に導入される充填物にかかる重力の和よりも小さいことを特徴とするものである。
上記構成の填物導入装置においては、フックにかかる重力が袋体のみの場合、弾性体は天秤の回動を妨げ、袋体に所望の量の充填物が導入され、フックに袋体と充填物の重力が足し合わされた重力がかかった場合には天秤の回動を可能にするという作用を有する。
【発明の効果】
【００１３】
本発明の請求項１に記載の填物導入装置においては、フックに袋体の孔又はループを掛着することができるので、袋体の導入口に円筒体を挿入したまま袋体の導入口を開口保持することができる。また、案内部が設けられることで、充填物を投入する際に円筒体の外部に充填物がこぼれる心配がない。さらに、充填物は案内部及び円筒体の内部空間に一時収容された後、袋体へと導出されるので、案内部及び円筒体により構成される空間に収容される充填物の量を確認することで、袋体に導入される充填物の量の多少を判断することができる。このため、袋体に収容できない量の充填物を案内部に投入してしまう恐れがなく、充填物を袋体に導出した後に袋体内の充填物の量を調整する必要がない。従って、充填作業の効率が高まる。
また、充填物の導入作業を、詰込済み袋体を載置したい場所で行い、その後その場所で袋体から充填物導入装置を離間させることによれば、大重量となった袋体を移動させる必要がなく、大重量の袋体を移動させる際の事故を未然に防止することができ、袋体を移動させる手間も省くことができる。
さらに、フックに袋体及び充填物の重力が作用した際に、天秤が回動して孔又はループの掛着を解除することができるので、人手に頼ることなく袋体の孔又はループを掛着部から取外すことができる。このため、掛着部から孔又はループを取り外す手間が省け、袋体から充填物導入装置を離間させる際に、袋体の周辺に作業者を待機させる必要が無く、万一、充填物導入装置の離間作業中に充填物を収容した充填物導入装置が転倒した場合でも安全である。
【００１４】
また、本発明の請求項２に記載の充填物導入装置においては、天秤の回動を妨げる止め具を有することで、何らかの衝撃で袋体の孔又はループの掛着が不意に解除される心配がなく、袋体の装着作業や充填物の投入作業を確実にかつ安全に行うことができる。
【００１５】
さらに、本発明の請求項３に記載の充填物導入装置においては、袋体の孔又はループを補助掛着部に仮掛けすることで、袋体の掛着されない他のループを作業者が持つことで袋体の導入口を容易に開口させることができる。このため、開口した導入口に円筒体の下端をスムースに挿入することができ、充填物導入装置が大型の場合でも容易に袋体を装着することができる。また、充填物導入装置を吊上げた状態のまま袋体を装着することができるので、充填作業の作業効率が高まる。
【００１６】
最後に、本発明の請求項４に記載の充填物導入装置においては、袋体に充填物が導入されてフックに袋体の重力を超える重力がかかった場合、つまり、フックに袋体の重力と充填物の重力を足し合せた重力がかかった場合にはじめて袋体の孔又はループが掛着部から外れるので、充填物導入装置を袋体から離間する時にのみ、孔又はループを掛着部から外すことができ、充填物の投入作業時には、孔又はループを掛着部に確実に掛着させることができる。
【発明を実施するための最良の形態】
【００１７】
以下に本発明の第１の形態に係る充填物導入装置について、図１乃至図５を参照しながら説明する。（請求項１及び請求項４に対応）
【００１８】
図１（ａ）は本発明の第１の実施の形態に係る充填物導入装置の外形図であり、（ｂ）は本発明の第１の実施の形態に係る充填物導入装置に土嚢袋を装着した際の外形図である。なお、ここでは、本実施の形態に係る充填物導入装置１ａを用いて大型の土嚢を製造する場合を例に挙げて説明するが、本実施の形態に係る充填物導入装置１ａは土嚢の製造にのみ用いられるものではなく、土砂以外の粒状物や粉状物などの固体、ゲル状物あるいは液状物を袋体に導入する場合にも利用することができる。この場合、本実施の形態に係る充填物導入装置１ａに装着する土嚢袋６の材質は、充填物の特性に応じて適宜選択されて良い。また、充填物導入装置１ａを挿入するための導入口と、充填物導入装置１ａに土嚢袋６を掛着するための孔又はループを有するよう構成されるものであれば土嚢袋６は、たとえば、一定の形状を有する容器でもよい。
図１（ａ），（ｂ）に示すように、本実施の形態に係る充填物導入装置１ａは、円筒体２の上端部に、投入される土砂を円筒体２に案内する案内部３が延設され、この案内部３の外周には掛着部４ａが設けられており、この掛着部４ａで土嚢袋６のループ７ａを掛着して土嚢袋６の導入口（開口６ａ）を開口保持できるよう構成されている。なお、掛着部４ａの詳細については後述する。
土嚢袋６を図１（ｂ）に示すような状態で充填物導入装置１ａに装着するには、まず、土嚢袋６の導入口（開口６ａ）を大きく広げて所望の場所に平置し、開口６ａの上方から土嚢袋６上に、充填物導入装置１ａを静置する。続いて、ループ７ａを上方に引き上げて土嚢袋６で円筒体２を被覆しながらこのループ７ａを掛着部４ａに掛着すればよい。
また、案内部３の開口３ａには、充填物導入装置１ａを土嚢袋６から離間させる際に、充填物導入装置１ａを吊上げられるよう、ワイヤ（図示せず）を掛着するための吊上げフック５が設けられている。
本実施の形態に係る充填物導入装置１ａによれば、上述の手順に従って図１（ｂ）に示すように土嚢袋６を充填物導入装置１ａに装着し、図中の符号Ａで示される方向から充填物である土砂を投入して円筒体２及び案内部３を土砂で満たし、吊上げフック５にワイヤを掛着して、このワイヤを重機等で引き上げると、充填物導入装置１ａが上昇して、円筒体２及び案内部３に収容された土砂が土嚢袋６に導出されると同時に土嚢袋６のループ７ａが掛着部４ａから外れて、大型の土嚢の製造と設置を同時に完了することができるのである。土嚢袋６に土砂が導入される仕組みについての詳細は後述する。
【００１９】
また、本実施の形態に係る充填物導入装置１ａに袋体を装着できるよう、土嚢袋６の開口６ａの近傍にはループ７ａを設けたが、必ずしもループ７ａである必要はなく、例えば、開口６ａの近傍に孔を穿設してその孔の周囲をハトメ等で補強しても良い。さらに、このループ７ａは、単にループ状の紐を開口６ａに縫い付けても良いし、或いは、土嚢袋６にかかる大荷重を支持できるよう、紐状体を土嚢袋６の側面から底面に掛け渡すように縫い付け、開口６ａに達した紐状体の端々を互いに縫い合わせてループを形成してもよい。すなわち、土嚢袋６に収容される充填物の重力がループ７ａに作用した場合でも、ループ７ａ又は孔が引きちぎれることがないよう構成されるものであればその形態は問題としない。
【００２０】
次に、掛着部４ａの構造ついて図２を参照しながら詳細に説明する。
図２（ａ）は本発明の第１の実施の形態に係る掛着部の部分拡大図であり、（ｂ）はその平面図である。なお、図１に記載されたものと同一部分については同一符号を付し、その構成についての説明は省略する。
図２（ａ），（ｂ）に示すように、掛着部４ａは、案内部３に突設される支持部１１の端部に、棒状の天秤８が枢軸部９で回動可能に取り付けられており、この天秤８の一端部には鉤状に湾曲するフック８ａが形成され、土嚢袋のループ７ａを掛着することができる。また、天秤８の他の端部８ｂにはツルマキバネ状の弾性体１０が掛着され、この弾性体１０の端部８ｂに掛着されない他端部は支持部１１に掛着されており、弾性体１０の弾性力で天秤８の回動を制限している。
また、図２（ｂ）に示すように、本実施の形態に係る支持部１１は、主軸１１ａの先端部分が２つのアーム１１ｂ，１１ｃとなるように分岐し、この分岐したアーム１１ｂ，１１ｃの先端で天秤８の枢軸部９を挟持している。そして、枢軸９ａが、アーム１１ｂ，枢軸部９，アーム１１ｃの順に貫通してこれらを軸支しているのである。また、案内部３と支持部１１がなす角には、補強のための補強板１３が設けられている。
なお、本実施の形態においては、先端部が分岐する支持部１１を用いたが、支持部１１は、必ずしも図示されるような形態にする必要はなく、例えば、主軸１１ａを設けることなくアーム１１ｂ，１１ｃをそのまま延ばして案内部３の外周に取り付けてもよいし、このアーム１１ｂ，１１ｃは平板状でも良い。この場合、アーム１１ｂ，１１ｃを一体に連結するような連結棒を水平方向に設けることによれば、アーム１１ｂ，１１ｃの強度が高まり、天秤８と支持部１１を掛架する弾性体１０の掛着が可能になる。
【００２１】
次に、図２（ａ）を参照しながら、天秤８が回動する仕組みについて説明する。
いま、天秤８の端部８ｂと支持部１１を掛架する弾性体１０の弾性力は、土嚢袋のみの重力よりも大きく、土嚢袋と充填物の重力の和よりも小さくなるように設定されている。
図２（ａ）において実線で示すように、充填物が導入されていない土嚢袋のループ７ａをフック８ａに掛着する場合、弾性体１０の弾性力が土嚢袋の重力よりも大きいため天秤８の回動は妨げられる。
他方、土嚢袋に充填物が導入され、フック８ａに、土嚢袋及び充填物の重力を足し合わせた力が作用した場合、すなわち、図中の符号Ｃで示す方向に土嚢袋の重力よりも大きい力が作用した場合、弾性体１０の弾性力は、土嚢袋と充填物の重力を合算した力よりも小さくなる。このため、弾性体１０が伸びて、図中の破線で示すように、天秤８は図中の符号Ｄで示す方向に回動するのである。この結果、ループ７ａはフック８ａから滑り落ちて、掛着部４ａからループ７ａが外れるのである。
【００２２】
なお、本実施の形態においては、案内部３の外周に、掛着部４ａを２つ設けた場合を例に挙げて説明しているが、掛着部４ａの数は必ずしもこの数に限定されるものではなく、必要に応じて増やしても良い。なお、掛着部４ａの数を増やす場合にはループ７ａの数も掛着部４ａの数に合わせて増やす必要がある。
また、本実施の形態においては、弾性体１０としてツルマキバネを用いたが、必ずしもツルマキバネを用いる必要はなく、一定条件下における天秤８の回動を制限できるよう構成されるものであればその構成は問題としない。たとえば、弾性体１０としてゴムを用いてもよい。
さらに、掛着部４ａは円筒体２に設けても良い。また、天秤８の端部８ｂに掛着されない弾性体１０の端部を必ずしも支持部１１に掛着する必要はなく、たとえば、掛着部４ａが案内部３に設けられる場合には、案内部３の側面に掛着してもよいし、掛着部４ａが円筒体２に設けられる場合には、円筒体２の側面或いは案内部３の側面のいずれかに掛着してもよい。このように、端部８ｂに掛着されない弾性体１０の端部を案内部３又は円筒体２に掛着させることにより、支持部１１にかかる重力による負荷を軽減して、支持部１１の破損を防止することができる。
【００２３】
続いて、本実施の形態に係る充填物導入装置１ａにより土嚢袋に土砂が導入される仕組みについて図３乃至図５を参照しながら詳細に説明する。
図３乃至図５は、本発明の第１の実施の形態に係る充填物導入装置の使用状態図である。なお、円筒体２や土嚢袋６の内部の様子が理解されやすいよう、図３乃至図５は、図１（ｂ）中のＦ−Ｆ線における矢視断面図として示した。また、図１及び図２に記載されたものと同一部分については同一符号を付し、その構成についての説明は省略する。
まず、上述の手順に従って、図１（ｂ）に示すように、土嚢袋６を設置面１５に平置して充填物導入装置１ａに装着する。なお、本実施の形態に係る円筒体２及び案内部３の容積の和は、土嚢袋６の内部空間１８と略一致するように構成されている。また、吊上げフック５には充填物導入装置１ａを吊上げるためのワイヤ１４が掛着されている。
そして、図３に示すように、重機１７等を用いて案内部３の開口３ａから土砂１６を投入し、円筒体２及び案内部３を土砂１６で満たす。
この状態では、充填物である土砂１６が土嚢袋６の内部空間１８に導入されていないので、天秤８のフック８ａに作用する力は土嚢袋６の重力のみである。このため、弾性体１０の弾性力により天秤８の回動が妨げられるので、ループ７ａは掛着部４ａに掛着されたままである。
次に、図４に示すように、ワイヤ１４の吊上げフック５に掛着されない端部（ループ１２）を重機１７又はクレーン等に掛着して、充填物導入装置１ａを図中の符号Ｇで示す方向に静かに引き上げると、円筒体２の下端である導出口１９から土砂１６が土嚢袋６の内部空間１８へと導入される。このとき、フック８ａには土嚢袋６と土砂１６の重力を合算した力が作用するため、弾性体１０が伸びて天秤８が回動し、ループ７ａが掛着部４ａから外れるのである。
そして、図５に示すように、さらに充填物導入装置１ａを上方へと吊上げると、充填物導入装置１ａは土嚢袋６から完全に離間され、土嚢の設置と土嚢袋６への土砂の導入作業が同時に完了するのである。
なお、本実施の形態においては、弾性体１０の弾性力を土嚢袋６のみの重力よりも大きく、土嚢袋６と充填物の一定の重さによる重力の和よりも小さくなるように設定してもよい。すなわち、充填物の投入量が予め決められている場合には、その投入量の重量による重力と土嚢袋６による重力の和とバランスする弾性力を備えた弾性体１０を用いることによれば、天秤８が回動した時点で投入を停止すると決められた投入量が土嚢袋６に充填されたことになり、重量測定の必要がなく作業効率を高めることが可能である。充填物の量に合わせてそれぞれの弾性力を備えた複数の弾性体１０を具備しておくとよい。
【００２４】
このように、本実施の形態に係る充填物導入装置１ａを用いることによれば、適量の土砂１６を土嚢袋６に迅速に導入することができる。
また、充填物導入装置１ａに係る掛着部４ａの天秤８を回動可能に構成することで、たとえば、図４に示すように、土嚢袋６の開口６ａが高い位置にあり作業者の手が容易に届かない場合であっても、人手を要すことなくループ７ａを掛着部４ａから外すことができる。
このため、土嚢袋６への土砂１６の導入作業及び、設置作業を重機１７のみで行うことができ、万一、土砂１６を収容した充填物導入装置１ａが倒れた場合でも、作業者に被害が及ぶ心配が無い。
また、本実施の形態に係る充填物導入装置１ａは構造が簡単で、土砂１６等の充填物を導出する際の動力も不要であるため、動力源の確保が難しい作業現場や、被災地等における充填物の詰め込み作業に適している。
【００２５】
以下に本発明の第２の形態に係る充填物導入装置について、図６乃至図１０を参照しながら説明する。（請求項２乃至請求項４に対応）
【００２６】
図６（ａ）は本発明の第２の実施の形態に係る部分拡大図であり、（ｂ）は図６（ａ）中の符号Ｅからみた平面図である。なお、図１乃至図５に記載されたものと同一部分については同一符号を付し、その構成についての説明は省略する。
本発明の第２の実施の形態にかかる充填物導入装置１ｂは、本発明の第１の実施の形態にかかる充填物導入装置１ａの構成に加え、掛着部４ｂに天秤８の不意の回動を防止するための止め具と、充填物導入装置１ｂを吊上げた状態での土嚢袋６の装着を容易にする補助掛着部２６を有するものである。
図６（ａ），（ｂ）に示すように、本発明の第２の実施の形態にかかる充填物導入装置１ｂの掛着部４ｂは、図２（ａ），（ｂ）に示す第１の実施の形態にかかる枢軸９ａの両端を保持するアーム１１ｂ，１１ｃの代わりに、２枚の平板状の支持部２０ａ，２０ｂが枢軸９ａの両端を保持している。また、枢軸９ａの両端を保持する支持部２０ａ，２０ｂは２枚の平板が案内部３の外側面に平行に突設されており、この支持部２０ａ，２０ｂを連結する連結棒２２に弾性体１０の端部が掛着されている。
なお、第１の実施の形態に係る充填物導入装置１ａの場合と同様に、本実施の形態に係る充填物導入装置１ｂの場合においても、天秤８の端部８ｂに掛着されない弾性体１０の端部を案内部３又は円筒体２に掛着させてもよく、この場合、支持部２０ａ，２０ｂにかかる重力による負荷を軽減して、支持部２０ａ，２０ｂの破損を防止することができる。
【００２７】
さらに、本実施の形態にかかる掛着部４ｂは、支持部２０ａ，２０ｂと天秤８の重なり部分には、これらを貫通する孔２１ａ〜２１ｃからなる連通孔２１が穿設され、この連通孔２１にリング２４とピン２５により構成されるロックピン２３を図中の符号Ｉで示される方向から挿通することで、天秤８の不意の回動が防止されるよう構成されている。
なお、ロックピン２３を挿通する連通孔２１は、必ずしも支持部２０ａ，２０ｂと天秤８の重なり部分に穿設する必要はなく、回動する天秤８の軌道上で、天秤８の回動を妨げることのできる位置であれば、支持部２０ａ，２０ｂの重なり部分に連通孔２１を穿設してもよい。また、ロックピン２３の装着は土嚢袋６の前に行われることが好ましい。
上述のような、天秤８の不意の回動を防止する止め具の構成は、必ずしも上述の形態に限定されるものではなく、例えば、第１の実施の形態に係るアーム１１ｂ，１１ｃの上端側又は、第２の実施の形態に係る支持部２０ａ，２０ｂの上端側に断面略コの字形のストッパを跨設し、このストッパの端部を枢軸部９とは異なる枢軸で軸支して、ストッパを回動させて、アーム１１ｂ，１１ｃの上面側における天秤８の軌道上又は、支持部２０ａ，２０ｂの上面側における天秤８の軌道上に配置することで天秤８の回動を妨げるよう構成してもよい。このように止め具の構成は、天秤８の不意の回動を防止できるものであれば、その形態は問題としない。
また、掛着部４ｂの下方には、図示しない土嚢袋６のループ７ｂを仮掛けするための補助掛着部２６が突設されている。この補助掛着部２６の使用方法については後述する。
【００２８】
続いて、図７乃至図１０を参照しながら充填物導入装置を吊上げた状態のまま土嚢袋を装着する手順について説明する。
図７乃至図１０はいずれも、本発明の第２の実施の形態に係る充填物導入装置に土嚢袋を装着する様子を示す概念図である。なお、図１乃至図６に記載されたものと同一部分については同一符号を付し、その構成についての説明は省略する。
また、本実施の形態においても、充填物導入装置１ｂに、掛着部４ｂ及び補助掛着部２６をそれぞれ２つずつ設けた場合を例に挙げて説明するが、掛着部４ｂ及び補助掛着部２６の数は、図示される数に限定されるものではなく、必要に応じて増やしても良い。特に、補助掛着部２６ａは最低１箇所に設けられていれば良く、図示されるように必ずしも２箇所に突設する必要はない。
本実施の形態に係る充填物導入装置１ｂを吊り上げた状態で土嚢袋６を装着するには、図７に示すように、まず、補助掛着部２６ｂに土嚢袋６のループ７ｂ2を仮掛けし、次いで、図８に示すように土嚢袋６の開口６ａを広げて円筒体２の導出口１９部分を被覆しながら、反対側のループ７ｂ1を掛着部４ｂ1のフック８ａ1に掛着する。そして、図９に示すように、補助掛着部２６ｂに仮掛けしたループ７ｂ2を掛着部４ｂ2のフック８ａ2に掛着し、最後に、図１０に示すように土嚢袋６を装着した充填物導入装置１ｂを設置面１５に静かに下ろせばよい。
このような補助掛着部２６を備えない場合、たとえば、本発明の第１の実施の形態に係る充填物導入装置１ａの場合には、土嚢袋６の開口６ａを広げて一旦平置し、その上から充填物導入装置１ａを土嚢袋６上に載置してから土嚢袋６のループ７ａを掛着部４ａに掛着するか、或いは、充填物導入装置１ａを吊上げた状態で土嚢袋６を装着する場合には、片方のループ７ａを掛着部４ａに係止し、その後、開口６ａを広げて導出口１９を被覆し、他方のループ７ａをもう一方の掛着部４ａに掛着する必要があり、開口６ａを大きく構成する必要があった。
このように、前者の場合は、土嚢袋６を平置する手間がかかり煩雑であった。また、後者の場合には、開口６ａが大きい土嚢袋６を用いるため、土嚢袋６に充填物を充填する最中や、充填物を充填した後に充填物が開口６ａからこぼれ落ちる心配があった。
そこで、充填物導入装置１ｂのように補助掛着部２６を設けることで、充填物導入装置１ｂに土嚢袋６を装着する際に、円筒体２の導出口１９の近傍に開口６ａを配置することができ、このため、導出口１９の挿入が容易となる。従って、開口６ａの大きさも導出口１９を挿入できる程度の比較的小さいものにすることができるのである。
また、本実施の形態においては、充填物導入装置１ｂに装着する土嚢袋６のループ７ｂは開口６ａと離れて位置に配置され、ループ７ｂと開口６ａは紐２７で連結されている。このように土嚢袋６を構成することで、ループ７ｂをフック８ａに掛着するために最低限必要な大きさにすることができるので、土嚢袋６の構成を一層コンパクトにすることができる。
【００２９】
上述の手順に従って充填物導入装置１ｂに土嚢袋６を装着した後は、本発明の第１の実施の形態の場合と同様に、図３乃至図５に示す手順に従って充填物である土砂１６を土嚢袋６の内部空間１８へと導入すればよい。そして、円筒体２及び案内部３への土砂１６の導入が終わった際に、ロックピン２３を取外すことで、充填物導入装置１ｂを吊上げた場合にのみ、ループ７ｂの掛着を解除することができるのである。
従って、万一土砂１６の投入時に、充填物導入装置１ｂが吊上げられたままの状態であり、土砂１６の投入時の衝撃がループ７ｂを通じて掛着部４ｂに伝達された場合であっても、ループ７ｂの掛着が不意に解除される心配がなく、充填物の導入作業を一層安全に行うことができる。
【産業上の利用可能性】
【００３０】
本発明に係る充填物導入装置は、電源等の動力源を用いることなく袋体に充填物を導入することができ、人手を介することなく充填物導入装置から袋体を離間できる填物導入装置を提供するものである。特に袋詰め作業を必要とする粒状物や粉状物などの固体、ゲル状物あるいは液状物の流通の分野において利用の可能性が高い。
【図面の簡単な説明】
【００３１】
【図１】（ａ）は本発明の第１の実施の形態に係る充填物導入装置の外形図であり、（ｂ）は本発明の第１の実施の形態に係る充填物導入装置に土嚢袋を装着した際の外形図である。
【図２】（ａ）は本発明の第１の実施の形態に係る掛着部の部分拡大図であり、（ｂ）はその平面図である。
【図３】本発明の第１の実施の形態に係る充填物導入装置の使用状態図である。
【図４】本発明の第１の実施の形態に係る充填物導入装置の使用状態図である。
【図５】本発明の第１の実施の形態に係る充填物導入装置の使用状態図である。
【図６】（ａ）は本発明の第２の実施の形態に係る部分拡大図であり、（ｂ）は図６（ａ）中の符号Ｅからみた平面図である。
【図７】本発明の第２の実施の形態に係る充填物導入装置に土嚢袋を装着する様子を示す概念図である。
【図８】本発明の第２の実施の形態に係る充填物導入装置に土嚢袋を装着する様子を示す概念図である。
【図９】本発明の第２の実施の形態に係る充填物導入装置に土嚢袋を装着する様子を示す概念図である。
【図１０】本発明の第２の実施の形態に係る充填物導入装置に土嚢袋を装着する様子を示す概念図である。
【図１１】従来技術に係る粒状物詰込装置の外形図である。
【符号の説明】
【００３２】
１ａ，１ｂ…充填物導入装置  ２…円筒体  ３…案内部  ３ａ…開口  ４ａ，４ｂ，４ｂ1，４ｂ2…掛着部  ５…吊上げフック  ６…土嚢袋  ６ａ…開口  ７ａ，７ｂ，７ｂ1，７ｂ2…ループ  ８…天秤  ８ａ，８ａ1，８ａ2…フック  ８ｂ…端部  ９…枢軸部  ９ａ…枢軸  １０…弾性体  １１…支持部  １１ａ…主軸  １１ｂ，１１ｃ…アーム  １２…ループ  １３…補強板  １４…ワイヤ  １５…設置面  １６…土砂  １７…重機  １８…内部空間  １９…導出口  ２０，２０ａ，２０ｂ…支持部  ２１，２１ａ〜２１ｃ…孔  ２２…連結棒  ２３…ロックピン  ２４…リング  ２５…ピン  ２６，２６ａ，２６ｂ…補助掛着部  ２７…紐  １００…粒状物詰込装置  １０１…筒体  １０２…ガイド部  １０３…格子部  １０４…ロック  １０５…補強板  １０６…調整長孔  １０７…吊りフック  １０８…支柱
【図１】
2006315722.tif 000003
【図２】
2006315722.tif 000004
【図３】
2006315722.tif 000005
【図４】
2006315722.tif 000006
【図５】
2006315722.tif 000007
【図６】
2006315722.tif 000008
【図７】
2006315722.tif 000009
【図８】
2006315722.tif 000010
【図９】
2006315722.tif 000011
【図１０】
2006315722.tif 000012
【図１１】
2006315722.tif 000013